(57)【特許請求の範囲】
【請求項１】
上部に出し入れ口を有した外箱と、前記外箱にスライド可能に収容して前記出し入れ口で出入可能とされ、上部に開閉蓋を有する内箱とからなり、
前記開閉蓋は内箱の上昇により開方向に移動し、内箱の降下により閉方向に移動して、前記出し入れ口の位置で伏す開閉蓋が該出し入れ口を閉鎖する開閉蓋付き包装容器において、
前記出し入れ口の開閉蓋の自由端に対応する位置に亘って、前記内箱の上昇と降下とに応じて起伏する回動板が設けられ、前記開閉蓋は、伏した前記回動板の上面に重ね合わせ可能とされていることを特徴とする開閉蓋付き包装容器。
【請求項２】
上記内箱には、上記回動板を起こす回動板起こし手段が設けられている請求項１に記載の開閉蓋付き包装容器。
【請求項３】
上記内箱には、上記回動板を伏せさせる回動板伏せ手段が設けられている請求項１または２に記載の開閉蓋付き包装容器。
【請求項４】
上記回動板は、閉方向に移動する開閉蓋との当接により伏す方向に回動するものである請求項１から３の何れか一項に記載の開閉蓋付き包装容器。
【請求項５】
上記外箱の胴部における上記開閉蓋の幅方向に対向する対の側板の内の一方の側板に、内箱の一部分が表出してこの内箱表出部分に対するすり上げ操作が可能とされたスライド操作口が開口していて、
上記回動板における前記一方の側板側となる端部のみに、閉方向に移動する開閉蓋との当接により降下して回動板を伏す方向に案内する案内板が設けられ、前記回動板における他方の側板側となる端部は切り欠かれていて、該他方の側板の内面と非接合状態としている請求項１、２、４の何れか一項に記載の開閉蓋付き包装容器。
【請求項６】
上記回動板における両端部それぞれに、閉方向に移動する開閉蓋との当接により降下して回動板を伏す方向に案内する案内板が設けられている請求項１、２、４の何れか一項に記載の開閉蓋付き包装容器。
【発明の詳細な説明】
【技術分野】
【０００１】
本発明は開閉蓋を有し、棒状や板状の小菓子や紙巻きたばこなどの小物を収納する包装容器に関するものである。
【背景技術】
【０００２】
従来から、棒状や板状の個包装されたチョコレート菓子や紙巻きたばこを取り出し部分から摘み出しできるように収納する紙製の包装容器が多くあり、その内、紙巻きたばこを収納するものには、開閉蓋で取り出し部分を覆う紙製の包装容器がある。
【０００３】
上述した煙草製品の用途に用いられる開閉蓋付きの包装容器としては、容器上部を開閉蓋として構成し、手でその開閉蓋を直接開け閉めするタイプのものが多く流通している（特許文献１参照）。またその他に、包装容器が、上下が開放された角筒状の外箱や有底で上部が出し入れ口として開放された直方体状の外箱と、この外箱に収容される開閉蓋付きの内箱とからなるものがある。そして、内箱の上げ下げに連動して開閉蓋が開閉するようにした包装容器も数々提案されている。
【０００４】
開閉蓋が内箱の上げ下げに応じて開閉する形式の包装容器は、開閉蓋に連接した蓋起こし部材が設けられているとともに、外箱にも出し入れ口から内方に折り返された係止部材を設けている。そして、内箱の上昇に伴なって蓋起こし部材も外箱の内面に摺接しながら上昇し、外箱の係止部材に係合する。さらに両部材の係合を保った状態で内箱が上昇すると、開閉蓋が蓋起こし部材に引っ張られてヒンジ部分を中心にして開くようになるものである。また、開閉蓋の閉鎖では、外箱の内部に入るように下げる際に、蓋起こし部材の上部（開閉蓋側）や開閉蓋の後板部分が外箱の出し入れ口の開口縁に当接して押し起こされ、これによって開閉蓋が閉じるようになる構成を有したものである。（例えば、特許文献２、３、４参照）
【先行技術文献】
【特許文献】
【０００５】
【特許文献１】特開平０８−０５８７７７号公報
【特許文献２】国際公開第２００７／０６５５１４号パンフレット
【特許文献３】国際公開第２００７／１２２２００号パンフレット
【特許文献４】特開２００９−２９２５１６号公報
【発明の概要】
【発明が解決しようとする課題】
【０００６】
内箱の上げ下げに応じてその内箱に連結されている開閉蓋が開閉するようにした従来提案の包装容器における基本的な構成を以下に説明する。図３１〜図３５は、包装容器ａにおける内箱ｂが外箱ｃの内部から上方にスライドし、内箱ｂの上部にある開閉蓋ｄがその上昇に応じて開く状態を示していて、包装容器ａでの蓋起こし手段ｅと外箱側の係止手段ｆとの係合を概略的に図示している。前記蓋起こし手段ｅは、内箱ｂの包装材料を切り抜き形成した略板状体であって（図３１）、蓋起こし手段ｅが相対する外箱ｃの胴部ｇの側板ｈ側に折り返して係止できる部分を下部に有してなるものである。また、外箱側の係止手段ｆは、図３２に示すように外箱ｃの前記側板ｈにおける出し入れ口ｉ側の上端縁に連続する舌片を内方（内箱ｂ側）に向けて折り返してなるものとするのが一般的であった。
【０００７】
そして、開閉蓋ｄを開く場合には、例えば外箱ｃの胴部ｇに図示していないスライド操作口（特許文献４参照）を通して指先を用いて内箱ｂを摺り上げるようにする。この摺り上げによるスライド操作で蓋起こし手段ｅにおける折り返された下部ｊと外箱側の係止手段ｆとが係合し、上述したようにこの外箱側の係止手段ｆに係合した蓋起こし手段ｅが、上方に向けてスライド移動する内箱ｂに対して相対的に降下する形で開閉蓋ｄを引き起こし、内箱ｂの上部である収納物の取り出し口部分が開放されるようにしている（図３３〜図３５）。
【０００８】
上記内箱ｂを摺り下げるなどしてその内箱ｂが降下するときには、蓋起こし手段ｅと外箱ｃの係止手段ｆとが係合した状態で内箱ｂが下がることで、また、外箱ｃの出し入れ口ｉの開口辺で開閉蓋ｄの背部や蓋起こし手段ｅが押し上げられる形となることで、前記開閉蓋ｄが閉方向に回動し、蓋起こし手段ｅと外箱ｃの係止手段ｆとが上下に離れ、内箱ｂの底が外箱ｃの底上に達することで内箱ｂの降下が止まり、閉方向に回動した開閉蓋ｄが伏した状態で出し入れ口ｉの位置にあり、この伏した開閉蓋ｄで前記出し入れ口ｉを閉鎖するようにしている。
【０００９】
ところで、この包装容器ａに収納する物品としては紙巻きたばこや小菓子とされることが多いが、これらの物品から欠片やくずが生じて内箱に溜まり易い。そのためにつぎの不具合が生じる可能性があった。例えば紙巻きたばこから葉くずが出て内箱内に溜まることがあり、紙巻きたばこをこの包装容器に入れた製品を携帯していた際に製品の天地が逆となると、葉くずが閉じた開閉蓋側に移動することとなる。
【００１０】
上記包装容器では開閉蓋が出し入れ口の位置にあるときにはその開閉蓋は伏した状態で出し入れ口を閉鎖した状態となってはいるが、図３３の矢印で示す開閉蓋の自由端とこれに対応する出し入れ口の開口辺との間には隙間があり、開閉蓋の自由端と開口辺とのそれぞれの部位が共に線状であることから隙間を無くすことが極めて困難である。よって、開閉蓋が閉じた状態であっても開閉蓋と出し入れ口の開口辺との間から葉くずや欠片などがこぼれ出るのを防止することが難しいという不具合がある。
【００１１】
そこで、本発明は上記事情に鑑み、外箱にスライド可能に収容される内箱が開閉蓋を回動可能に有し、内箱の上げ下げにて開閉蓋が回動し、内箱を外箱に収容して開閉蓋が伏した状態で外箱の出し入れ口を閉鎖するようにした包装容器において、伏した開閉蓋の自由端とこれに対応する出し入れ口の開口辺との間に隙間が生じないようにすることを課題とし、外箱の出し入れ口が開閉蓋で閉鎖された状態で収納物側から生じたくずや欠片がこぼれ出ない開閉蓋付きの包装容器を得ることを目的とするものである。
【課題を解決するための手段】
【００１２】
（請求項１の発明）
本発明は上記課題を考慮してなされたもので、上部に出し入れ口を有した外箱と、前記外箱にスライド可能に収容して前記出し入れ口で出入可能とされ、上部に開閉蓋を有する内箱とからなり、
前記開閉蓋は内箱の上昇により開方向に移動し、内箱の降下により閉方向に移動して、前記出し入れ口の位置で伏す開閉蓋が該出し入れ口を閉鎖する開閉蓋付き包装容器において、
前記出し入れ口の開閉蓋の自由端に対応する位置に亘って、前記内箱の上昇と降下とに応じて起伏する回動板が設けられ、前記開閉蓋は、伏した前記回動板の上面に重ね合わせ可能とされていることを特徴とする開閉蓋付き包装容器を提供して、上記課題を解消するものである。
【００１３】
（請求項２の発明）
そして、本発明において、上記内箱には、上記回動板を起こす回動板起こし手段が設けられていることが良好である。
【００１４】
（請求項３の発明）
また、本発明において、上記内箱には、上記回動板を伏せさせる回動板伏せ手段が設けられていることが良好である。
【００１５】
（請求項４の発明）
また、本発明において、上記回動板は、閉方向に移動する開閉蓋との当接により伏す方向に回動するものであることが良好である。
【００１６】
（請求項５の発明）
また、本発明において、上記外箱の胴部における上記開閉蓋の幅方向に対向する対の側板の内の一方の側板に、内箱の一部分が表出してこの内箱表出部分に対するすり上げ操作が可能とされたスライド操作口が開口していて、上記回動板における前記一方の側板側となる端部のみに、閉方向に移動する開閉蓋との当接により降下して回動板を伏す方向に案内する案内板が設けられ、前記回動板における他方の側板側となる端部は切り欠かれていて、該他方の側板の内面と非接合状態としていることが良好である。
【００１７】
（請求項６の発明）
また、本発明において、上記回動板における両端部それぞれに、閉方向に移動する開閉蓋との当接により降下して回動板を伏す方向に案内する案内板が設けられていることが良好である。
【発明の効果】
【００１８】
（請求項１の発明の効果）
本発明によれば、開閉蓋が、伏した前記回動板の上面に重ね合わせ可能とされていることから、この開閉蓋が回動板の上面に重なることで前記回動板が開閉蓋に対して面接合することとなり、伏した開閉蓋とこの開閉蓋の自由端に相対する出し入れ口の開口辺との間に隙間が生じ難くなり、開閉蓋が閉じられているときに開閉蓋の自由端とこれに相対する出し入れ口の開口辺との間から、収納物のくずや欠片がこぼれ出ることを防止することができるようになるという優れた効果を奏するものである。
【００１９】
（請求項２の発明の効果）
請求項２の発明によれば、内箱には、上記回動板を起こす回動板起こし手段が設けられているので、内箱が上昇するときに回動板を起こして、伏した回動板が、内箱の上昇を止めてしまわないようにすることができ、内箱を上昇させる際の操作がスムーズに行なえるようになる。
【００２０】
（請求項３の発明の効果）
請求項３の発明によれば、上記内箱には、上記回動板を伏せさせる回動板伏せ手段が設けられていることから、起立したままの回動板に突き当たって開閉蓋が閉まらなくなるということを生じさせないようにすることができ、開閉蓋の自由端とこれに相対する出し入れ口の開口辺とを適正に近接させることができる。
【００２１】
（請求項４の発明の効果）
請求項４の発明によれば、上記回動板は、閉方向に移動する開閉蓋との当接により伏す方向に回動することから、起立したままの回動板に突き当たって開閉蓋が閉まらなくなるということを生じさせないようにすることができ、開閉蓋の自由端とこれに相対する出し入れ口の開口辺とを適正に近接させることができる。
【００２２】
（請求項５の発明の効果）
外箱の一方の側板にあるスライド操作口で内箱の上げ下げ操作する際に、そのスライド操作口がある側板側に操作者の力が加わって側板が押され、外箱と内箱とのそれぞれの胴部が、胴部断面形状を略平行四辺形となるような変形をし、外箱の出し入れ口も同様に略平行四辺形となるような変形が生じ易くなる。そして、この容器胴部の横で内箱の上げ下げ操作をする包装容器であって、外箱の左右の側板の内面側などに摺接して回動する案内板が回動板の両端部に設けられて、案内板の回動により回動板を回動させるものである場合、出し入れ口で平行四辺形の変形が生じた際、操作側とは反対側の側板と前側板との間の折れ角度がきつくなるために前記案内板の上下方向の回動が行ない難くなり、よって、回動板の回動が適正に行なわれなくなる可能性がある。
【００２３】
そこで、請求項５の発明によれば、回動板の両端部の内、スライド操作口のある側板側となる端部のみに回動板があり、他方の端部を切り欠いたものとしているので、仮に出し入れ口が略平行四辺形状に変形したとしても、回動板の回動が適正に行なわれるようになる。
【００２４】
（請求項６の発明の効果）
請求項６の発明によれば、上記回動板における両端部それぞれに、閉方向に移動する開閉蓋との当接により降下して回動板を伏す方向に案内する案内板が設けられているので、伏す開閉蓋が直接に回動板を伏す方向に倒し込む場合に比べ、その開閉蓋の伏す方向への動きがスムーズになり、開閉蓋の適正な閉まり状態が得易くなるなど、優れた効果を奏する。
【図面の簡単な説明】
【００２５】
【図１】第一の実施の形態での開閉蓋の閉じ状態を上方から見た状態で示す説明図である。
【図２】第一の実施の形態における内箱を示す説明図である。
【図３】同じく内箱の蓋起こし手段と当て板とを示す説明図である。
【図４】同じく内箱において降下した内箱係止手段と内箱係止手段に係合する外箱係止手段とを示す説明図である。
【図５】第一の実施の形態における外箱を示す説明図である。
【図６】第一の実施の形態において外箱に内箱が収容され開閉蓋が伏して出し入れ口が閉鎖された状態を示す説明図である。
【図７】第一の実施の形態において内箱が上昇して蓋起こし手段と外箱係止手段とが係合した状態を示す説明図である。
【図８】第一の実施の形態において開閉蓋が開いた状態を示す説明図である。
【図９】第一の実施の形態において内箱上昇に際しての内箱係止手段に対する外箱係止手段の相対移動を示す説明図である。
【図１０】第一の実施の形態において外箱係止手段とストッパーとの当接を示す説明図である。
【図１１】第一の実施の形態における外箱のブランクを示す説明図である。
【図１２】第一の実施の形態における内箱のブランクを示す説明図である。
【図１３】第二の実施の形態における蓋起こし手段と案内手段とを示す説明図である。
【図１４】第二の実施の形態における案内板と爪片との係止を示す説明図である。
【図１５】第二の実施の形態における外箱のブランクを示す説明図である。
【図１６】第二の実施の形態における内箱のブランクを示す説明図である。
【図１７】第三の実施の形態における蓋起こし手段と案内手段とを示す説明図である。
【図１８】第三の実施の形態における外箱のブランクを示す説明図である。
【図１９】第三の実施の形態における内箱のブランクを示す説明図である。
【図２０】第四の実施の形態での開閉蓋の閉状態を上方から見た状態で示す説明図である。
【図２１】第四の実施の形態での開閉蓋の開状態を上方から見た状態で示す説明図である。
【図２２】第四の実施の形態における内箱を後方から見た状態で示す説明図である。
【図２３】第四の実施の形態において伏した回動板周りを断面で概略的に示す説明図である。
【図２４】第四の実施の形態において起きた回動板周りを断面で概略的に示す説明図である。
【図２５】第四の実施の形態における外箱のブランクを示す説明図である。
【図２６】第四の実施の形態における内箱のブランクを示す説明図である。
【図２７】第五の実施の形態として内箱を略舟型状とした例を示す説明図である。
【図２８】第五の実施の形態における内箱と葉くず止めの回転板が起きた外箱とを示す説明図である。
【図２９】第五の実施の形態における外箱のブランクを示す説明図である。
【図３０】第五の実施の形態における内箱のブランクを示す説明図である。
【図３１】従来例における内箱における蓋起こし手段を後方から見た状態で示す説明図である。
【図３２】従来例における外箱における出し入れ口の係止手段を示す説明図である。
【図３３】従来例において外箱内に内箱が収容された状態を示す説明図である。
【図３４】従来例において外箱から内箱が上昇する状態を示す説明図である。
【図３５】従来例において開閉蓋が開いた状態を示す説明図である。
【発明を実施するための形態】
【００２６】
つぎに本発明を図１から図３０に示す実施の形態に基づいて詳細に説明する。なお、実施の形態は収納物を紙巻きたばことした用途に用いる包装容器を例示している。図１から図１２は第一の実施の形態を示している。図中１は本発明に係る開閉蓋付きの包装容器で、該包装容器１は一枚のブランクを組み起こして形成された紙製の外箱２と同じく一枚のブランクを組み起こして形成された紙製の内箱３とからなるものである。
【００２７】
（外箱）
外箱２は有底で上部に出し入れ口４を有した略直方体形状とされ、胴部周りに前側板５、右側板６、後側板７、左側板８が連続し、各側板の下端に底面板９を連続させて、外箱本体を容器高さ方向（内箱のスライド方向）に縦長とした箱形状に形成されている（図５）。そして前記外箱２は、内箱３をスライド可能に収容して内箱３の上部側が出し入れ口４から出入可能としており、外箱２の胴部における前側板５から一方の右側板６にかけてスライド操作口１０が開口されている。前記スライド操作口１０から内箱３の一部分が表出していて、内箱３の表出部分を指先ですり上げたり、すり下げたりすることで内箱３を上げ下げできるようにしている。
【００２８】
（内箱）
図１に示すように外箱２にスライド可能に収容される内箱３も同様に有底の略直方体形状とされていて、上部を収納物の取り出し口１１とし、外箱２内に下がった状態での取り出し口１１の上方を開閉可能に覆う開閉蓋１２を有している（図２、図３）。この内箱３は、胴部周りに前側板１３、右側板１４、後側板１５、左側板１６が連続し、底面板１７が胴部の各側板の下端に連続していて、有底で上部を前記取り出し口１１としている。前側板１３は上端部が側方から中央に向けて階段状に下がる形状としている。また、右側板１４と左側板１６とはそれぞれの上端部が前記前側板１３の上端部より上方に位置する形状としている。さらに前記後側板１５の上端部にあっては左右端部側それぞれを残して下部側に向けて凸となるように切り込まれている。
【００２９】
内箱３の開閉蓋１２は天面板１８の後端部両側に後側板１９が連続しているとともに、天面板１８の側部には右側板２０、左側板２１が連続していて、それぞれが前記後側板１９に連続している。そして、後側板１９それぞれの下部と、内箱本体部分の上記後側板１５の上方に凸となった上端部との間に第一ヒンジ２２が形成されており、開閉蓋１２が、取り出し口１１の開口における一辺の高さ位置にある前記第一ヒンジ２２を介して、内箱３の内箱本体部分に回動可能にして連接されている。紙巻きたばこを収納する用途に用いる本包装容器１では、外箱２と組み合わされた形態で内箱３の取り出し口１１の閉時には、内箱３の左右側板１４、１６の上部と開閉蓋１２の左右側板２０、２１とが重なり合い、葉くずが伏した開閉蓋１２の側方から漏れ出難くしている。
【００３０】
（外箱と内箱の係止手段）
上述したように外箱２と、この外箱２にスライド可能に収容された内箱３とを備える包装容器１は、内箱３の上げ下げに応じて上記開閉蓋１２が開閉するものであって、内箱３の上昇に連動して開閉蓋１２が開方向に移動する仕組みを有していて、開閉蓋１２の移動形態を回動としているものである。まず、図２〜図４に示すように内箱３は蓋起こし手段２３を有している。この蓋起こし手段２３は、内箱３のブランクで示すように開閉蓋１２の後端辺に、第一ヒンジ２２よりも上方に位置した第二ヒンジ２４を介して連結されていて、開閉蓋１２側からの切り込みにより形成された後側板１５の開口部分までに亘って延設され、下部が外箱２の後側板７側に折り返された形状を有している。
【００３１】
蓋起こし手段２３の形状について概略的に説明すると、この蓋起こし手段２３は、内箱３のブランクの形態で示すように開閉蓋１２の後端から内箱３の後側板１５までに亘って切り込み形成されていて、更に下部が外箱２の後側板７側に折り返えされていて、これを内箱係止手段２５として形成している。さらに前記蓋起こし手段２３の周りに前記切り込みによる開口が形成されていて、この開口の部分が開閉蓋１２の後端部からの切り込みに連続している。そのため、蓋起こし手段２３と内箱３の後側板１５とが直接に繋がっている部分は無く、開閉蓋１２の回動に伴ってこの蓋起こし手段２３が上がり下がりすることができる。
【００３２】
即ち、第一ヒンジ２２を中心とした開閉蓋１２の回動と蓋起こし手段２３の上げ下げとが連動するように設けられており、開閉蓋１２が開方向（起立する方向）に回動すると前記蓋起こし手段２３は内箱３の後側板１５に対して相対的に下方に移動するものである（図４）。折り返しを行なった内箱係止手段２５の形状は、後述する外箱係止手段を受け止めるものであればよく、この折りによって鈎状の部位が形成できるものであればよい。
【００３３】
一方、外箱２にあっては、図５に示されているように後側板７の上端部に連続した舌片を外箱２の内方に向けて折り倒してこれを外箱係止手段２６としており、内箱３が上方にスライドする際に前記後側板７の内面側に一部分を摺接させながら上昇する蓋起こし手段２３にこの外箱係止手段２６が係合するように設けられている。蓋起こし手段２３の折られた内箱係止手段２５に外箱係止手段２６の下縁部分が入り込むようにして係止し合い、蓋起こし手段２３と外箱係止手段２６とが係合した状態で内箱３の上昇を続けることで、蓋起こし手段２３が内箱の本体部分に対して相対的に下がる形となり、第二ヒンジ２４を介して開閉蓋１２の後端部が引っ張られ、第一ヒンジ２２を中心として開方向に開閉蓋１２が回動する（図６〜図８）。
【００３４】
上記蓋起こし手段２３には、外箱係止手段２６と係合した状態で外箱２の後側板７の上端部に対応位置する部分に第三ヒンジ２７が設けられている。前記第三ヒンジ２７は開閉蓋１２が開方向に回動するときに蓋起こし手段２３がこの第三ヒンジ２７の位置で折れるようにしているものであり、第三ヒンジ２７の折れにて開閉蓋１２の回動がスムーズに行なわれる。
【００３５】
（係止手段）
図９、図１０は内箱３の後側板１５を容器外方から見た状態での上記蓋起こし手段２３を示している。図示されているように蓋起こし手段２３では上記第三ヒンジ２７の下において両側に脚状部２８があり、脚状部２８の下縁間に亘るようにして内箱係止手段２５が配置されている。前記内箱係止手段２５は、脚状部２８の下縁にある折り罫から蓋起こし手段２３の下端部を外箱２の後側板７側に折り返してなるものであり、折り返しされて上向きとなっている部分が外箱２の後側板７の内面に摺接可能に当接する。そして、内箱３を上昇させていない場合には、内箱係止手段２５と外箱係止手段２６とは、容器高さ方向において上下に離れて非係合状態であり、内箱３の上昇に伴って蓋起こし手段２３（内箱係止手段２５）が上方に移動することで外箱係止手段２６と係合する状態となる。
【００３６】
上述したように外箱２のスライド操作口１０を通した摺り上げ操作で内箱３を上昇させることで、蓋起こし手段２３と外箱係止手段２６とが係合する。さらにこの係合状態で内箱３を上昇させることで蓋起こし手段２３は内箱３の後側板１５に対して相対的に降下するようになり、この蓋起こし手段２３によって開閉蓋１２が開く方向に引っ張られる。蓋起こし手段２３の内箱係止手段２５と外箱係止手段２６とは共に、上昇する内箱３の後側板１５に対して相対的に降下することとなる。そして、取り出し口１１の上方が全開となる角度まで開方向に開閉蓋１２が回動したときに、蓋起こし手段２３と外箱係止手段２６との降下を止める必要があり、その位置となる外箱係止手段２６の降下下限位置２９が予め設定されている。
【００３７】
内箱係止手段２５の高さ位置より下方には、蓋起こし手段２３の周りに開口を設けた切り込みの一部分である切り込み線を上端縁としたストッパー３０が切り込み形成されている。そして、前記ストッパー３０の上端縁である切り込み線が、内箱３に対しての上記外箱係止手段２６の降下下限位置２９に配されている。即ち、降下下限位置２９を上端縁とするストッパー３０が内箱３の後側板１５に設けられている。さらに、本実施の形態では、降下下限位置２９に向けて降りる外箱係止手段２６がストッパー３０に当接するように蓋起こし手段２３は案内手段３１を備えている。
【００３８】
（案内手段）
第一の実施の形態における上記案内手段３１は、図２に示すように蓋起こし手段２３の内箱係止手段２５の中央下端から下方に延設された凸状の片からなる。そして、下向きに凸となっている前記案内手段３１は、蓋起こし手段２３の下部周りにある開口を形成した切り込みの内、蓋起こし手段２３の下方にある横の切り込み縁の位置、即ち、上記ストッパー３０の位置から内箱３の後側板１５の内面側に位置するように延設していて、内箱３の後側板１５の内面に摺接可能にして接している。なお、この蓋起こし手段２３が上下移動するいずれの状態でも後側板１５の内面側に位置するように設けられている。
【００３９】
上記案内手段３１は上述したように蓋起こし手段２３周りにおける開口部分での下方の切り込み縁（ストッパー３０の位置）から後側板１５の内面に摺接移動できるように接しているので、内箱係止手段２５を内箱３の内方側に位置させる機能を有している。また、内箱係止手段２５自体は、外箱２の後側板７側であって且つ上方に向けて折り曲げて形成されており、折り位置からぴったりと脚状部２８に密接する状態とはならず、包装材料自体の復元力によって縦断面で略レ状に上方が開いた状態となる。
【００４０】
このように折り戻りによって開いている内箱係止手段２５の先端部分は若干ながら外箱２の後側板７の内面に当接する形となり、その反作用によっても内箱係止手段２５は内箱３の内方側に付勢されるようになる。よって、容器上方となる側から見て、内箱係止手段２５の下端部はストッパー３０の位置上やこのストッパー３０位置から若干内箱内方側に寄った配置となる。なお、後述する当て板で蓋起こし手段２３周りの開口を内箱内方側から覆ったとしても、案内手段３１が後側板１５の内面に接しているので、内箱係止手段２５がストッパー３０の切り込み縁の上、或いは切り込み縁から若干内箱内方に寄った位置にある配置が変化することはないものである。
【００４１】
（外箱係止手段とストッパー）
内箱３が外箱２から上方には上昇していないときに上記開閉蓋１２は外箱２の出し入れ口４の位置にあって伏してこの出し入れ口４を閉じている。そして、上述したように内箱係止手段２５と外箱係止手段２６とは上下に離れていて、係合していない状態である。上述したように内箱係止手段２５は若干開いて、その中央の凸部分が外箱２の後側板７の内面に摺接可能に接している。
【００４２】
外箱係止手段２６も後側板７の上端部の部分の折り戻りの作用を受けて内箱３の後側板１５側に向けて開くように付勢された状態となって、内箱３がセットされても若干開くように設けられている。加えて、その外箱係止手段２６の下部中央の部分が、蓋起こし手段２３における上記脚状部２８の間の開口部分に対応位置して、前記下部中央の部分が僅かならも内箱の内方に向けて偏倚し易いように設けられている。
【００４３】
上述したように蓋起こし手段２３の折り返されてなる内箱係止手段２５が外箱２側であって上方に僅かに開き、下向きに折られた舌片からなる外箱係止手段２６が内箱３側であって下方に僅かに開いているため、内箱３を上昇させることにより相互に相手の係止手段内に入り込むようになる。そして、内箱３の上昇に伴って内箱係止手段２５と外箱係止手段２６とが相対して、内箱係止手段２５に外箱係止手段２６が係合する。
【００４４】
外箱係止手段２６には上述したように内箱３側に開く方向で押す若干の力が生じており、図示するように外箱係止手段２６の下部の中央部分が内箱係止手段２５の中央部分に対応していることから、外箱係止手段２６における内箱係止手段２５に対応する部分が内箱係止手段２５とともに内箱３の内方に向けて僅かながら移動した状態となる。加えて、上記案内手段３１によって内箱係止手段２５の一部分が予め内箱３の内方側に寄った状態となって外箱係止手段２６をストッパー３０側に向けて案内するものであるので、外箱係止手段２６の下部の中央部分は内箱３の内方に向けての移動量が僅かではあるが、確実に内箱内方に寄った状態で移動する。
【００４５】
さらに内箱３を上昇させると、蓋起こし手段２３（内箱係止手段２５）と外箱係止手段２６とが内箱３の後側板１５に対して相対的に降下し、開閉蓋１２が開方向に回動し始める。そして、内箱係止手段２５と外箱係止手段２６とは降下して上記ストッパー３０の高さ位置に近づく。外箱係止手段２６は外箱２の後側板７の幅と同じ幅とされていて、前記ストッパー３０の幅より幅広であるが、外箱係止手段２６のストッパー対応部分３３は内箱係止手段２５に係止していて、上述した外箱係止手段２６自体の若干の開きや上記案内手段３１の働きによって内箱係止手段２５がストッパー３０に交差する配置、或いは内箱内方側に位置した状態でストッパー３０に近接するようになり、外箱係止手段２６のストッパー対応部分３３もその一部分がストッパー３０を形成している切り込み縁に交差する配置（上方から見た状態での配置）でストッパー３０に近接する。
【００４６】
内箱３の上昇に伴って後側板１５（内箱３）に対して相対的に降下する外箱係止手段２６のストッパー対応部分３３が、ストッパー３０である切り込み縁に当接すると、外箱係止手段２６の降下が止められる。即ち、内箱３の上昇が規制されて止められ、上記スライド操作口１０からすり上げ操作を行なっても内箱３を上昇させることができない。この時点では開閉蓋１２は内箱３の取り出し口１１の上方を覆わずに全開した状態で開方向の回動も停止する。
【００４７】
上記実施の形態において内箱３の後側板１５の内面側には上述した当て板３４が配置されていて、蓋起こし手段２３とその周りを切り込んでなる開口とを覆い、蓋起こし手段２３や外箱係止手段２６を隠蔽して包装容器内の美観を整えるとともに、収納物が蓋起こし手段２３や外箱係止手段２６と干渉することがないように図られている。なお、図６〜図８にあっては、蓋起こし手段２３における内箱係止手段２５と外箱係止手段２６との係合、及びその移動を説明し易くするために、当て板３４についてはこれを図示していない。
【００４８】
また、当て板３４は内箱係止手段２５が大きく内箱３の内方側に入り込むことを防止するものであり、内箱３の上昇と降下に際して蓋起こし手段２３は当て板３４の外面に摺接可能である。そして、当て板３４が内箱３の後側板１５の内面に接する状態を維持するために、この当て板３４の両側には袖板３５が連接されている。この袖板３５は、内箱３の左右の側板１４、１６の幅に応じた張り出し長さがあり、この袖板３５が左右の側板１４、１６の内面に沿って前側板１３に当接して、前記当て板３４を後側板１５の内面側に接しさせている。
【００４９】
本包装容器１では上述のように内箱３を上昇させることで開閉蓋１２が開いて内箱３の取り出し口１１から収納物を取り出すことができる。そして、上昇した内箱３を降ろすには上記スライド操作口１０を通して内箱３の前側板１３をすり下ろす操作をすればよい。このとき、まず蓋起こし手段２３（内箱係止手段２５）と外箱係止手段２６とが係合した状態で内箱本体の部分が降下し、第一ヒンジ２２の位置が下がるので、開閉蓋１２が閉方向に回動する。そして、前記開閉蓋１２の回動と外箱２の後側板７の上端部（出し入れ口における開口辺の内の一辺）に案内されながら蓋起こし手段２３の上部部分（第二ヒンジ２４と第三ヒンジ２７の間）が起き、さらに内箱３が降下することで、内箱係止手段２５と外箱係止手段２６との係合が解かれることとなり、内箱３の底面板１７と外箱２の底面板９とが接して内箱３の降下が止まり、開閉蓋１２も閉じた状態で外箱２の出し入れ口４に位置することとなる。
【００５０】
このように内箱３の上げ下げで開閉蓋１２が開閉するようになり、そして、内箱３の上昇時に際しても内箱３に対する不必要なすり上げ操作を内箱３自体が止まるため、開閉蓋１２の第一ヒンジ周りや蓋起こし手段の上部側に裂けなどを生じさせない良好な包装容器が得られる。
【００５１】
（葉くず止め）
本包装容器１は上述したように紙巻きたばこを収納する紙製の包装容器であり、閉じた開閉蓋１２の自由端とこの自由端に対応する外箱２の前側板５の上端部との間からたばこの葉くずが漏れ出ないようにする工夫が施されている。
【００５２】
この葉くず止めは、図１に示されているように外箱２の前側板５の上端部に亘って回動板３６を内箱３の内方に折り曲げ可能に連接し、さらに前記回動板３６の自由端側の両側に配された脚状片３７を介してスライド板３８が連接されている。そして前記スライド板３８が前側板５の内面に沿って上下に移動可能で、脚状片３７それぞれの上下にあるヒンジ部分の曲げと開き、及び回動板３６の基端にある折り曲げ部分の曲げと開きを伴ないながら、前記回動板３６が伏した状態から起きた状態までの範囲で回動できるようにしている。
【００５３】
そして、葉くず止めの上記回動板３６は内箱３の上げ下げに連動して動くものであり、内箱３が上昇するときにその内箱３の前側板１３の上端部が回動板起こし手段Ａとなって上記脚状片３７の部分を下方から押し上げるようにしており、これによって回動板３６が起立して内箱３の上昇に邪魔にならないようにしている（図６〜図８）。また、内箱３が降下する際には、その内箱３の前側板１３の上部であって外箱２の前側板５側に凸の切り起こし成形された係止凸片３９からなる回動板伏せ手段Ｂが前記スライド板３８の端部に係止し、スライド板３８を下方に移動させるようにしており、スライド板３８が引き下ろされることで前記回動板３６が横となるように回動し、横に伏した回動板３６の上面に開閉蓋１２の自由端側の下面が重なるように設けられている。
【００５４】
このように伏した回動板３６の上面に開閉蓋１２の自由端側の下面が重なって、伏した回動板３６と、出し入れ口４の位置で伏してこの出し入れ口４を閉鎖する開閉蓋１２とが面接合するように設けられており、よって、外箱２の前側板５の上端部（出し入れ口４の開閉蓋ヒンジ側とは反対側の開口辺部分）と開閉蓋１２の自由端との間に隙間が生じないようになる。
【００５５】
（外箱ブランク）
図１１と図１２とは包装容器１の外箱２と内箱３のブランク４０、４１を示していて、それぞれ箱外方となる面が見えるように図示されている。図１１に示すように、外箱２にあっては、前側板５と底面板９と後側板７とが連接されており、前記後側板７には右側板６を得るための右側板パネル６ａ、左側板８を得るための左側板パネル８ａが連接され、前側板５には右側板６を得るための右側板パネル６ｂ、左側板８を得るための左側板パネル８ｂが連接されている。そして、右側板パネル６ａと左側板パネル８ａに連接しているフラップ６ｃ、８ｃを底面板９に重ねながら、右側板パネル６ａの外面側に右側面パネル６ｂを重ねるとともに、左側板パネル８ａの外面側に左側面パネル８ｂを重ねていて、所要の板同士の接合面を貼り合わせて前側板５と後側板７とが相対した略直方体状で上部開放の外箱２の基本部分が形成される。
【００５６】
ブランク４０で示すように右側板パネル６ａ、左側板パネル８ａには前側板５の内面に接する当てパネル６ｄ、８ｄが連接されている。前側板５には右側板パネル６ｂに亘ってスライド操作口１０が開口され、前側板５の出し入れ口４側となる上端部に葉くず止めの回動板３６が連接され、上述したようにこの回動板３６に脚状片３７を介してスライド板３８が連接されている。また、後側板７の出し入れ口４側となる上端部には上述したように外箱係止手段２６が連接されている。
【００５７】
後側板７の両側にある右側板パネル６ａ、左側板パネル８ａの上側辺の部分は、上記係止凸片３９（回動板伏せ手段Ｂ）の動きに干渉しないように切り欠かれている。また、前記右側板パネル６ａ、左側板パネル８ａの内、右側板パネル６ａではさらにスライド操作口１０に対応する部分は切り欠かれていて、当てパネル６ｄも同様に短寸としている。
【００５８】
（内箱ブランク）
図１２のブランク４１に示すように内箱３は、前側板１３と底面板１７と後側板１５とが連接され、後側板１５には左側板１６を得るための左側板パネル１６ａ、右側板１４を得るための右側板パネル１４ａが連接され、前側板１３には左側板１６を得るための左側板パネル１６ｂ、右側板１４を得るための右側板パネル１４ｂ、前側板１３を内面側から補強する当てパネル１３ａが連接されている。そして、左側板パネル１６ａと右側板パネル１４ａに連接のフラップ１６ｃ、１４ｃを底面板１７に重ねながら、左側板パネル１６ａの外面側に左側板パネル１６ｂを重ねるとともに、右側板パネル１４ａの外面側に右側板パネル１４ｂを重ねていて、所要の板同士の接合面を貼り合わせて前側板１３と後側板１５とが相対した略直方体状の内箱３の箱としての基本部分を形成している。当てパネル１３ａは折り返されて前側板１３の内面に重ね合わされている。
【００５９】
上述しているように内箱３は開閉蓋１２を有しているものであり、この開閉蓋１２は天面板１８が対にして天面板１８の幅方向に離れている後側板１９を介して上記後側板１５に連接し、天面板１８の後辺部分から前記後側板１５に亘るようにして上記蓋起こし手段２３が切り込み形成されている。なお、ブランクの状態で図示しているため、組み上げられた内箱３で内箱係止手段２５となる部分は折り返す前の状態で示されている。
【００６０】
開閉蓋１２を構成する他の板パネルとして、天面板１８の前縁側に下当てパネル１８ａが連接されているとともに、後側板１９に左右の側板２０、２１が連接され、左側板２１と右側板２０とのそれぞれに、前記天面板１８と下当てパネル１８ａとの間に配されるフラップ２１ａ、２０ａを連接している。図示するように前記下当てパネル１８ａには、開閉蓋１２の後面側（後側板１９、蓋起こし手段２３の上部）に対応する連結パネル１８ｂが連接され、さらにこの連結パネル１８ｂに、多数のスリットを入れて伸びを伴った曲げを許容するヒンジ１８ｃを介して上記当て板３４が連続し、当て板３４の両側に上記袖板３５が連接されている。
【００６１】
開閉蓋１２にあってもフラップ２０ａ、２１ａが天面板１８と下当てパネル１８ａとの間になるようにして組み起こされ、さらに連結パネル１８ｂを開閉蓋１２の後面に配し、当て板３４を内箱３の後側板１５における上述した蓋起こし手段２３側を覆うように配することで、この内箱３が組み起こされる。
【００６２】
この第一の実施の形態のスライド操作口１０は、図示したように外箱２の前側板５の側辺に寄っていて一部分が右側板６にも及ぶレイアウトとしているが、上述した蓋起こし手段と外箱係止手段との係合や開閉蓋の閉止などに支障を来さない範囲であれば、外箱３の胴周りの何れの側板に配置されていてもよい。例えばこのスライド操作口１０を右側板６のみ（或いは左側板８のみ）に設けてもよい。
【００６３】
（第二の実施の形態）
上記第一の実施の形態では、葉くず止めの機構として回動板３６に脚状片３７を介してスライド板３８を設けてこのスライド板３８を外箱２の前側板７の内面側に配し、内箱３の前側板１３の上端部（回動板起こし手段Ａ）の押し上げにより回動板３６が起き、内箱３の係止凸片３９からなる回動板伏せ手段Ｂが前記スライド板３８に係止しながら降下することで回動板３６を伏せさせるようにしている。本発明はこれに限定されるものではく、図１３から図１６に示している第二の実施の形態のようにすることも可能である。なお、第一の実施の形態と同様に、第二の実施の形態も内箱係止手段２５と外箱係止手段２６とが係合し、内箱３を上昇させることで開閉蓋１２が開方向に回動するものである。そして、この第二の実施の形態では回動板３６を回動させる構成が相違しているものであり、それ以外の点については第一の実施の形態と同じであり、構成が同一の部分については説明を省略する。
【００６４】
（葉くず止め）
第二の実施の形態にあっては、外箱２の前側板５の上端部に上記回動板３６が上下方向に回動可能に連接されていて、起きた状態や伏した状態とすることが可能であり、この点は第一の実施の形態と同様である。図示されているように、前記回動板３６の両端部それぞれには、外箱２の左右の側板６、８の内方側で容器上下方向に回動可能とされた案内板５０が連接されている。そして前記案内板５０自体の形状は、回動板３６が起きている状態でその回動板３６より上方に凸となる部分があり、また、回動板３６が伏した状態となるときには外箱２の内方側に回り込んでいて外箱２の出し入れ口の開口縁の高さ位置から突出しないものとしている。具体的にこの第二の実施の形態では、図示のように回動板３６との間の折り罫に沿った方向で凸となる外縁を有した略翼形状としている。
【００６５】
上記案内板５０それぞれは開閉蓋１２の天部下面における端部に対応していて、回動板３６が伏した状態となるのは開閉蓋１２によって案内板５０が押し込まれたことによるものであり（前側板５の内面に近付くようにして案内板５０が回り込んでいる）、案内板５０が箱内方に向けて回動することで回動板３６が伏す方向に回動する。勿論、伏した開閉蓋１２により出し入れ口４が閉鎖されているときには、内箱３は外箱２の内部に収容されているときである。
【００６６】
葉くず止めの前記伏した回動板３６は、内箱３が上昇することによってその内箱３の前側板１３の上端部からなる回動板起こし手段Ａと当接することとなり、内箱３の上昇に伴って開閉蓋１２が開方向に回動するときには、上昇する前記回動板起こし手段Ａが直接、この回動板３６を裏面側から押し上げて起立させるものである。
【００６７】
また、開閉蓋１２が閉方向に回動するときには内箱３が降下して回動板起こし手段Ａも外箱２内に下がる。そして、回動板起こし手段Ａが外箱２の出し入れ口高さ位置から下方に下がるときに開閉蓋１２が上述したように案内板５０に当接して押し下げる。即ち、開閉蓋１２が回動板伏せ手段Ｂを兼ねており、葉くず止めの仕組みをより簡易なものとしている。
【００６８】
図１５には外箱２を得るためのブランク４０が示されている。このブランク４０の形態で示すように外箱２の前側板５の上端縁に回動板３６が回動可能に、即ち、起きたり伏したりする容器上下方向の回動が可能に連結されている。前記回動板３６の両端部には案内板５０が連結されていて、外箱２が組み起こされる時点で案内板５０それぞれは左右の側板６、８の内面側に配置されるようにしている。
【００６９】
さらに、左右の側板６、８を形成するための右側板パネル６ａ、左側板パネル８ａには、案内板５０が回動する領域に対応して切り欠きがあり、案内板５０の回動がスムーズに行なえるように設けられているとともに、右側板パネル６ａ、左側板パネル８ａの切り欠きに連続する上端部には爪片５１が設けられている。
【００７０】
上記爪片５１は、図１４に示すように案内板５０が出し入れ口４で上方に凸となった際に案内板５０の先端部分（自由端側）に相対するように設けられていて、その案内板５０に摺接可能に係止する部材である。そして、この爪片５１は、出し入れ口４が略平行四辺形となるような変形をした際にも、出し入れ口４の高さ位置から上方に凸となっている案内板５０の先端部分と重なり、この案内板５０が出し入れ口４の辺部位置から位置ズレしないように規制する役割を果たすものである。そのため、出し入れ口４が正規の開口形状でありさえすれば前記案内板５０が開閉蓋１２の下面端部に対応し、開閉蓋１２が閉方向に回動したときに案内板５０の押し下げが行なわれ、回動板３６が適正に伏した状態となるようにしているものである。
【００７１】
第二の実施の形態のスライド操作口１０は、図１５に示すように外箱３の前側板５の右側板６に寄ったレイアウトとしているが、蓋起こし手段と外箱係止手段との係合や開閉蓋の閉止などに支障を来さない範囲であれば、外箱３の胴周りの何れの側板に配置されていてもよい。例えばこのスライド操作口１０を右側板６のみ（或いは左側板８のみ）に設けてもよい。また、図１６は内箱３をブランクの形態で示していて、図１２に示す第一の実施の形態の内箱３における内箱係止手段２５のみを変形したものであるが、内箱係止手段２５の形状がやや異なるだけで、その機能には違いはない。
【００７２】
（第三の実施の形態）
図１７から図１９は第三の実施の形態を示している。この実施の形態にあっては、外箱２の右側板６にスライド操作口１０が開口していて、スライド操作口１０から表出する内箱３の右側板１４を摺り上げたり摺り降ろしたりすることで内箱３が上下するものであり、内箱３の上昇に応じて開閉蓋１２が開方向に回動して出し入れ口４が開放され、内箱３の降下に応じて開閉蓋１２が閉方向に回動し、出し入れ口４に位置した開閉蓋１２は伏した状態となってその出し入れ口４を閉鎖するものである。このように内箱３の上げ下げに関しては左右の側板の内の一方の側板に開口されたスライド操作口１０を通して行なうことで上記実施の形態と相違している。
【００７３】
この第三の実施の形態では、開閉蓋１２の回動中心軸方向（開閉蓋の幅方向）に対向する対の側板の内の一方の側板にスライド操作口１０があるため、そのスライド操作口１０に表出する内箱３の上げ下げ操作を行なう際、若干ながら外箱２や内箱３の胴部が断面で略平行四辺形に変形し、これによって出し入れ口４も略平行四辺形状に変形する可能性があり、その変形した出し入れ口４の状態でも回動板３６の伏せが行なえるようにした点が、この第三の実施の形態の特徴となる。
【００７４】
第三の実施の形態にあっては、葉くず止めでの回動板３６について、スライド操作口１０がある右側板６側の端部のみに上記案内板５０が設けられている。そして、左側板８側の端部にあっては案内板は無く、斜めに切り欠かれていて、回動板３６と左側板８の内面と非接合状態としている。上述したようにスライド操作口１０を通して内箱３の上げ下げ操作をする際にそのスライド操作口１０がある右側板６が押されて出し入れ口４が略平行四辺形状に変形し、前側板５の上端部と左側板８の上端部とで形成されるコーナーの角度が鋭角になる可能性があるが、この実施の形態では、回動板３６の左側板８側には案内板はなく、且つ箱中心側に向けて斜めに切り欠かれて左側板８とは非接合状態とされているので、回動板３６に左側板８が干渉しないようになる。即ち、回動板３６の上下の回動はスムーズに行なわれるものであり、伏した回動板３６の上面と開閉蓋１２の下面との面接合は適正に行なえるようになっているものである。
【００７５】
図１８は第三の実施の形態における外箱２のブランク４０を示し、図１９にあっては内箱３のブランク４１を示している。
【００７６】
（第四の実施の形態）
図２０から図２６は第四の実施の形態を示している。この例では外箱２の回動板３６の先端縁（自由端縁の中央）に短冊状の係止舌片５２が連接されていて、この係止舌片５２が係止した内箱３が摺り下げにより降下することで回動板３６が伏した状態へと回動するように設けられているものである。前記係止舌片５２は図２４の断面で示すように下部が上方に向けて折り返されていて、この折り返し部分が内箱３の前側板１３にある開口１３ｂの上端縁からなる回動板伏せ手段Ｂに対応位置するように配置されている。
【００７７】
図２１に示すごとく内箱３が摺り上げられているときには、係止舌片５２の折り返し部分がその内箱３の前記開口１３ｂにあり、回動板伏せ手段Ｂと係止状態とはならず（図２４）、内箱３が摺り下げられて降下する際に、回動板伏せ手段Ｂ（開口１３ｂの上端縁）が係止舌片５２に係止すれば、回動板伏せ手段Ｂがこの係止舌片５２を引き下ろすこととなり、下がる係止舌片５２が連接している回動板３６が伏せ方向に回動する。そして、内箱３が外箱２内に収められたときに回動板３６が横方向に伏した状態となり、出し入れ口４を閉鎖する開閉蓋１２の下面とこの回動板３６の上面とが接する（図２３）。
【００７８】
外箱２に収められている内箱３を摺り上げて上昇するときには、内箱３の前側板１３の上部両端で凸となっている端部である回動板起こし手段Ａが回動板３６に当接して押し上げ、この回動板３６を起き方向に回動させることとなり、内箱３の上方向への移動に支障を来さないようにしている。なお、内箱３の前側板１３の内面側に折り返された当てパネル１３ａがほぼ開口１３ｂに対応していて、この当てパネル１３ａに係止舌片５２の折り返し部分を摺接可能に接触させ、係止舌片５２が収納物と干渉しないように図られている。
【００７９】
この第四の実施の形態でも上述した実施の形態と同じように、開閉蓋１２の後部から後側板１５に亘るようにして切り込み形成された蓋起こし手段２３に内箱係止手段２５が設けられている。この実施の形態では蓋起こし手段２３の下部を略Ｕ字状に切り起こして内箱係止手段２５としており、切り残されて下方に凸となっている部位を案内手段３１としてストッパー３０の位置から内箱内方側に入り込むようにしている。また、外箱２では後側板７の上端部から箱内方に折り返して外箱係止手段２６が設けられており、内箱３が上方に移動して内箱係止手段２５と外箱係止手段２６とが係合した状態でその内箱３が上昇することで開閉蓋１２が開方向に回動する。また、外箱係止手段２６のストッパー対応部分３３が案内手段３１に案内されてストッパー３０と当接することで、内箱３の上昇が規制されることとなる。
【００８０】
図２５は外箱２を得るためのブランクを示しており、図２６は内箱３を得るためのブランクを示している。
【００８１】
上記各実施の形態における内箱３は胴部自体を四方の側板で囲んでなるものが例示されているが、これに限定されるものではない。例えば外箱２の前側板５に対応する面を取り出し口となる開放部分とした略舟型状としてもよく、この場合、スライド操作口１０を外箱２の左側板や右側板に設け、そのスライド操作口１０から表出する内箱３の左側板や右側板を指先で摺ることができるようにすればよい。
【００８２】
（第五の実施の形態）
図２７から図３０は第五の実施の形態として上述したように内箱３を略舟型状とした一例を図示していて、開閉蓋１２が上下に移動することで出し入れ口４を開閉するように構成された例を示している。図２８に示すように内箱３は外箱２の前側板５に対応する側が開放され、この部分を取り出し口１１としており、内箱３の胴部が胴周りに連続する右側板１４、後側板１５、左側板１６の三方の側板から構成され、上述した各実施の形態での内箱３での前側板が設けられていない。また、上記各実施の形態では外箱２の出し入れ口４を開け閉めする開閉蓋１２を回動可能に備えているものであるが、この第五の実施の形態での内箱３は天面板５３を開閉蓋１２としているものであって、天部側にこの内箱本体に対して固定である開閉蓋１２を有している。そして、外箱２に収容した内箱３の前記開閉蓋１２を出し入れ口４に位置させることでその出し入れ口４が閉じられ、内箱３を摺り上げて開閉蓋１２を上昇させることで出し入れ口４が開き、表われた取り出し口１１から収納物を取り出すことができるものである。さらに、この内箱３の右側板１４と左側板１６との外箱２の前側板５側となる側辺には、上記第一の実施の形態と同じように係止凸片３９からなる回動板伏せ手段Ｂを設けている。
【００８３】
略舟型状の内箱３を上げ下げ可能に収容する本実施の形態での外箱２は、底面板を有しない角筒形状に設けられている。そして、この外箱２の前側板５の上端辺には第一の実施の形態と同じように回動板３６が回動可能にして連接されているとともに、この回動板３６に対の脚状片３７を介してスライド３８が連接されていて、スライド板３８が前側板５の内面側にて上下に上げ下げ可能に配されている。回動板３６は、外箱２の右側板６のスライド操作口１０を通した摺り下げ操作によって下がる内箱３の上記回動板伏せ手段Ｂがスライド板３８の端部に係止して下方に引き下ろされることで伏す方向に回動し、内箱３の開閉蓋１２が出し入れ口４に位置したときにほぼ横方向に伏した状態となって、開閉蓋１２の先端側（外箱２の前側板５側）の裏面に接合して、この回動板３６と開閉蓋１２の間に隙間が生じないようにしている。
【００８４】
この実施の形態では内箱３の上方への移動に応じて回動板を起こす手段は特に設けられてはおらず、上昇する収納物が回動板３６に接触することでこの回動板３６が起きる方向に回動するようにしている。なお、収納物の取り出しができるまでに内箱３が摺り上げられる際、上記回動板伏せ手段Ｂや左右の側板１４、１６の前側板５側の側辺も回動板３６の端部に摺接してこの回動板３６を起こすこととなるので、回動板伏せ手段Ｂが回動板起こし手段Ａの役割も兼ねるようにしたり、左右の側板１４、１６の前側板５側の側辺を回動板起こし手段Ａとしてもよい。
【００８５】
図２９に示すように外箱２の胴部は、角筒状とするために前側板５、右側板６、後側板７が連接されているとともに、前側板５の他方の側辺に箱外方となって左側板８を形成するための左側板パネル８ａが連接され、後側板７の他方の側辺に左側板パネル８ａと重ね合わせる左側板パネル８ｂが連接され、さらに糊代８ｃが連接されており、これらの構成材から胴貼りして外箱２の胴部を得る。また、上述したように前側板５には回動板３６が連接され、これに対の脚状片３７を介してスライド板３８が連接され、前側板５の内面側に位置するように折り返されるものである。
【００８６】
図３０は略舟型状にする内箱３を得るためのブランクを示していて、右側板１４と後側板１５と左側板１６とが連接されている。前記後側板１５の上端辺には、天面板５３が連接されていて、これに連接の折り返しパネル５３ａを天面板５２の内面側に折り返し、天面板５３と折り返しパネル５３ａとの間に、右側板１４に連接のフラップ１４ｄと左側板１６に連接のフラップ１６ｄとを配する。また、前記後側板１５の下端辺には、底面板１７が連接されていて、これに連接の折り返しパネル１７ａを底面板１７の内面側に折り返し、底面板１７と折り返しパネル１７ａとの間に、右側板１４に連接のフラップ１４ｃと左側板１６に連接のフラップ１６ｃとを配することにより内箱３が得られる。
【００８７】
上記各実施の形態では胴周りのコーナーが角立ったものを示したが、本発明はこの実施の形態に限定されるものではなく、小さな丸味の付いたコーナーとされているものであってもよい。また、内箱３のスライド操作口１０に対応する部分については、指掛かりを向上させるためにエンボス加工を施すようにしてもよい。
【符号の説明】
【００８８】
１…包装容器
２…外箱
３…内箱
４…外箱の出し入れ口
５…外箱の前側板
６…外箱の右側板
７…外箱の後側板
８…外箱の左側板
９…外箱の底面板
１０…スライド操作口
１１…取り出し口
１２…開閉蓋
１３…内箱の前側板
１４…内箱の右側板
１５…内箱の後側板
１６…内箱の左側板
１７…内箱の底面板
１８…開閉蓋の天面板
１９…開閉蓋の後側板
２０…開閉蓋の右側板
２２…第一ヒンジ
２３…蓋起こし手段
２４…第二ヒンジ
２５…内箱係止手段
２６…外箱の外箱係止手段
２７…第三ヒンジ
２８…蓋起こし手段の脚状部
２９…降下下限位置
３０…ストッパー
３１…案内手段
３３…ストッパー対応部分
３４…当て板
３５…袖板
３６…回動板
３７…脚状片
３８…スライド板
３９…係止凸片
４０…ブランク
４１…ブランク
５０…案内板
５１…爪片
Ａ…回動板起こし手段
Ｂ…回動板伏せ手段
【図１】
0005891052.tif 000002
【図２】
0005891052.tif 000003
【図３】
0005891052.tif 000004
【図４】
0005891052.tif 000005
【図５】
0005891052.tif 000006
【図６】
0005891052.tif 000007
【図７】
0005891052.tif 000008
【図８】
0005891052.tif 000009
【図９】
0005891052.tif 000010
【図１０】
0005891052.tif 000011
【図１１】
0005891052.tif 000012
【図１２】
0005891052.tif 000013
【図１３】
0005891052.tif 000014
【図１４】
0005891052.tif 000015
【図１５】
0005891052.tif 000016
【図１６】
0005891052.tif 000017
【図１７】
0005891052.tif 000018
【図１８】
0005891052.tif 000019
【図１９】
0005891052.tif 000020
【図２０】
0005891052.tif 000021
【図２１】
0005891052.tif 000022
【図２２】
0005891052.tif 000023
【図２３】
0005891052.tif 000024
【図２４】
0005891052.tif 000025
【図２５】
0005891052.tif 000026
【図２６】
0005891052.tif 000027
【図２７】
0005891052.tif 000028
【図２８】
0005891052.tif 000029
【図２９】
0005891052.tif 000030
【図３０】
0005891052.tif 000031
【図３１】
0005891052.tif 000032
【図３２】
0005891052.tif 000033
【図３３】
0005891052.tif 000034
【図３４】
0005891052.tif 000035
【図３５】
0005891052.tif 000036